(57)【要約】  ペイパービュー映画用広告ベース支払いのためのシステム、方法、及びコンピュータプログラム製品が提供される。最初に、出力装置を使用して、複数の映画が表示される。次いで、入力装置を使用して、それら映画のうちの少なくとも１つの選択が受信される。本技法において、広告ベース支払いが適用できるかどうかの決定がなされる。もし、広告ベース支払いが適用できると決定される場合は、その出力装置を使用して、広告が配信される。その広告の配信後に、その出力装置を使用して、その選択された少なくとも１つの映画を見ることが許される。【選択図】  図３
2009506453.tif 000002
【特許請求の範囲】
【請求項１】
出力装置を使用して、複数の映画を表示するステップと、
入力装置を使用して、前記映画のうちの少なくとも１つの選択を受信するステップと、
広告ベース支払いが適用できるかどうかを決定するステップと、
前記広告ベース支払いが適用できると決定される場合に、前記出力装置を使用して、広告を配信するステップと、
前記出力装置を使用して、前記選択された少なくとも１つの映画を見ることを可能とするステップと、
を備えるコンピュータ実施される方法。
【請求項２】
前記映画は、リストで表示される、請求項１に記載の方法。
【請求項３】
前記映画は、ユーザにより起動されるデータベースの検索に応答して表示される、請求項１に記載の方法。
【請求項４】
前記映画は、ウエブサイトにて受信されたリクエストに応答して表示される、請求項１に記載の方法。
【請求項５】
ユーザに複数の支払いオプションの中から選択するように促すことにより、前記広告ベース支払いが適用できることを決定する、請求項１に記載の方法。
【請求項６】
前記支払いオプションは、クレジットカード支払いオプションを含む、請求項５に記載の方法。
【請求項７】
前記支払いオプションは、後請求式支払いオプションを含む、請求項５に記載の方法。
【請求項８】
前記支払いオプションは、広告ベース支払いオプションを含む、請求項５に記載の方法。
【請求項９】
前記支払いオプションは、選択のために表示される、請求項５に記載の方法。
【請求項１０】
ユーザの好みを反映しているデータベースに問い合わせることにより、前記広告ベース支払いが適用できることを決定する、請求項１に記載の方法。
【請求項１１】
前記ユーザの好みのうちの少なくとも１つは、前記広告ベース支払いが進行中ベースにて要求されていることを示す、請求項１０に記載の方法。
【請求項１２】
前記広告支払いが適用できると決定される場合に、複数の広告オプションを表示するステップを更に含む、請求項１に記載の方法。
【請求項１３】
前記広告オプションは、ユーザが配信されるべき多数の広告を選択することができるようにする、請求項１２に記載の方法。
【請求項１４】
前記広告の持続時間は、配信されるべき広告の数の関数として、長くなる、請求項１３に記載の方法。
【請求項１５】
前記広告オプションは、ユーザが複数の広告の中から選択することができるようにする、請求項１２に記載の方法。
【請求項１６】
前記広告は、前記ユーザからの対話を要求する、請求項１に記載の方法。
【請求項１７】
前記広告は、ユーザからのフィードバックを要求する、請求項１６に記載の方法。
【請求項１８】
後続の広告は、前記対話に基づいて配信される、請求項１６に記載の方法。
【請求項１９】
前記広告は、ユーザプロファイルに基づいて選択される、請求項１８に記載の方法。
【請求項２０】
前記広告は、アンケートを含む、請求項１８に記載の方法。
【請求項２１】
前記広告がユーザによって見られたかを確認するステップを更に含む、請求項１に記載の方法。
【請求項２２】
前記映画を前記確認に基づいて条件付きで見ることができる、請求項２１に記載の方法。
【請求項２３】
前記確認を記録するためのレコードが生成される、請求項２２に記載の方法。
【請求項２４】
前記広告は、ユーザプロファイル、人口統計学的情報、その広告を配信するシステムの技術的能力、ユーザの好み、ユーザの過去の決定、映画選択、格付け情報、使用可能広告、広告の優先度、広告に関連した広告条件、休日情報、配信の時間及びユーザとの対話の長さからなる群から選択された少なくとも１つのファクタに基づいて選択される、請求項１に記載の方法。
【請求項２５】
前記映画の料金は、前記広告の配信に基づいて一部割り引かれる、請求項１に記載の方法。
【請求項２６】
前記映画の料金は、前記広告の配信に基づいて全額割り引かれる、請求項１に記載の方法。
【請求項２７】
前記映画は、前記広告の配信後すぐに見られる、請求項１に記載の方法。
【請求項２８】
前記映画は、前記広告の配信後所定の時間が経ってから見られる、請求項１に記載の方法。
【請求項２９】
コンピュータ読み取り可能な媒体にて実施されるコンピュータプログラム製品において、
複数の映画を表示するためのコンピュータコードと、
前記映画のうちの少なくとも１つの選択を受信するためのコンピュータコードと、
広告ベース支払いが要求されているかどうかを決定するためのコンピュータコードと、
前記広告ベース支払いが要求されていることが決定される場合に、広告を配信するためのコンピュータコードと、
前記選択された少なくとも１つの映画が見られるようにするためのコンピュータコードと、
を備えるコンピュータプログラム製品。
【請求項３０】
広告ベース支払いが適用できるかどうかを決定するためのプロセッサと、
前記プロセッサと通信して、複数の映画のうちの１つの選択を受信するための入力装置と、
前記プロセッサと通信して、前記広告ベース支払いが要求されていると決定される場合に、広告を配信し且つ前記選択された少なくとも１つの映画が見られるようにするための出力装置と、
を備えるシステム。
【請求項３１】
入力装置を使用し、複数の映画のうちの少なくとも１つの選択を受信するステップと、
出力装置を使用して、広告を配信するステップと、
前記広告の配信後、前記入力装置を使用して、ユーザ入力を受信し、前記広告が見られたかどうかを確認するステップと、
前記確認に基づいて、前記出力装置を使用して、前記選択された少なくとも１つの映画が見られるようにするステップと、
を備えるコンピュータ実施される方法。
【請求項３２】
コンピュータ読み取り可能な媒体にて実施されるコンピュータプログラム製品において、
複数の映画のうちの１つの選択を受信するためのコンピュータコードと、
広告を配信するためのコンピュータコードと、
前記広告の配信後にユーザ入力を受信するためのコンピュータコードと、
前記広告が見られたかどうかを確認するためのコンピュータコードと、
前記確認に基づいて、前記選択された少なくとも１つの映画が見られるようにするためのコンピュータコードと、
を備えるコンピュータプログラム製品。
【請求項３３】
コンピュータ読み取り可能な媒体にて実施されるデータ構造において、
複数のレコードを備え、各レコードは、
ユーザを示すユーザ識別子と、
各々が前記ユーザ識別子に関連付けられ且つ前記ユーザによって選択された映画を示す複数の映画識別子と、
前記ユーザが対応する映画に関連して配信された広告を見たことを確認するため各映画識別子に関連付けられた確認オブジェクトと、
を含むデータ構造。
【請求項３４】
コンピュータ読み取り可能な媒体にて実施されるデータ構造において、
複数のレコードを備え、各レコードは、
ユーザを示すユーザ識別子と、
各ユーザ識別子に関連付けられ且つ映画の少なくとも一部支払いとの交換において配信される広告に応答して与えられる前記ユーザのフィードバックを示すフィードバックオブジェクトと、
を含むデータ構造。
【請求項３５】
ユーザを示すユーザ識別子と、各ユーザ識別子に関連付けられ且つ映画の少なくとも一部支払いでの交換において配信される広告に応答して与えられる前記ユーザのフィードバックを示すフィードバックオブジェクトと、を各々含む複数のレコードを維持するステップと、
前記レコードを処理するステップと、
前記処理について広告主へ報告するステップと、
を備えるコンピュータ実施される方法。
【請求項３６】
出力装置を使用して、配信することのできる複数のメディアを表示するステップと、
入力装置を使用して、前記メディアのうちの少なくとも１つの選択を受信するステップと、
広告ベース支払いが適用できるかどうかを決定するステップと、
前記広告ベース支払いが適用できると決定される場合に、前記出力装置を使用して、広告を配信するステップと、
前記出力装置を使用して、前記選択された少なくとも１つのメディアが配信されるようにするステップと、
を備えるコンピュータ実施される方法。
【請求項３７】
前記メディアは、ビデオコンテンツを含む、請求項３６に記載の方法。
【請求項３８】
前記メディアは、オーディオコンテンツを含む、請求項３６に記載の方法。
【請求項３９】
前記メディアは、デジタルコンテンツを含む、請求項３６に記載の方法。
【請求項４０】
前記メディアは、ライブコンテンツである、請求項３６に記載の方法。
【請求項４１】
前記メディアは、プリレコードコンテンツである、請求項３６に記載の方法。
【請求項４２】
前記メディアは、リストで表示される、請求項３６に記載の方法。
【請求項４３】
前記メディアは、ユーザにより起動されるデータベースの検索に応答して表示される、請求項３６に記載の方法。
【請求項４４】
前記メディアは、ウエブサイトにて受信されたリクエストに応答して表示される、請求項３６に記載の方法。
【請求項４５】
ユーザに複数の支払いオプションの中から選択するように促すことにより、前記広告ベース支払いが適用できることを決定する、請求項３６に記載の方法。
【請求項４６】
前記支払いオプションは、クレジットカード支払いオプションを含む、請求項４５に記載の方法。
【請求項４７】
前記支払いオプションは、後請求式支払いオプションを含む、請求項４５に記載の方法。
【請求項４８】
前記支払いオプションは、広告ベース支払いオプションを含む、請求項４５に記載の方法。
【請求項４９】
前記支払いオプションは、選択のために表示される、請求項４５に記載の方法。
【請求項５０】
ユーザの好みを反映しているデータベースに問い合わせることにより、前記広告ベース支払いが適用できることを決定する、請求項３６に記載の方法。
【請求項５１】
前記ユーザの好みのうちの少なくとも１つは、前記広告ベース支払いが進行中ベースにて要求されていることを示す、請求項５０に記載の方法。
【請求項５２】
前記広告支払いが適用できると決定される場合に、複数の広告オプションを表示するステップを更に含む、請求項３６に記載の方法。
【請求項５３】
前記広告オプションは、ユーザが配信されるべき多数の広告を選択することができるようにする、請求項５２に記載の方法。
【請求項５４】
前記広告の持続時間は、配信されるべき広告の数の関数として、長くなる、請求項５３に記載の方法。
【請求項５５】
前記広告オプションは、ユーザが複数の広告の中から選択することができるようにする、請求項５２に記載の方法。
【請求項５６】
前記広告は、前記ユーザからの対話を要求する、請求項３６に記載の方法。
【請求項５７】
前記広告は、ユーザからのフィードバックを要求する、請求項５６に記載の方法。
【請求項５８】
後続の広告は、前記対話に基づいて配信される、請求項５６に記載の方法。
【請求項５９】
前記広告は、ユーザプロファイルに基づいて選択される、請求項５８に記載の方法。
【請求項６０】
前記広告は、アンケートを含む、請求項５８に記載の方法。
【請求項６１】
前記広告がユーザによって見られたかを確認するステップを更に含む、請求項３６に記載の方法。
【請求項６２】
前記メディアを前記確認に基づいて条件付きで配信することができる、請求項６１に記載の方法。
【請求項６３】
前記確認を記録するためのレコードが生成される、請求項６２に記載の方法。
【請求項６４】
前記広告は、ユーザプロファイル、人口統計学的情報、その広告を配信するシステムの技術的能力、ユーザの好み、ユーザの過去の決定、メディア選択、格付け情報、使用可能広告、広告の優先度、広告に関連した広告条件、休日情報、配信の時間及びユーザとの対話の長さからなる群から選択された少なくとも１つのファクタに基づいて選択される、請求項３６に記載の方法。
【請求項６５】
前記メディアの料金は、前記広告の配信に基づいて一部割り引かれる、請求項３６に記載の方法。
【請求項６６】
前記メディアの料金は、前記広告の配信に基づいて全額割り引かれる、請求項３６に記載の方法。
【請求項６７】
前記メディアは、前記広告の配信後すぐに配信される、請求項３６に記載の方法。
【請求項６８】
前記メディアは、前記広告の配信後所定の時間が経ってから配信される、請求項３６に記載の方法。
【発明の詳細な説明】
【発明の分野】
【０００１】
本発明は、ペイパービューシステムに関し、より詳細には、ペイパービュー支払いシステムに関する。
【背景】
【０００２】
多くのメディア配信システムの目的は、ユーザにメディア（例えば、映画、テレビ、スポーツ、ニュース放送等）を提供することであった。例えば、ビデオオンデマンド（ＶｏＤ）システムは、ユーザが要求時にビデオサービスを受けられるようにする。ＶｏＤサービスの場合、サービスのユーザは、自分が見たいものを選択することができ、それから、理論上は、ユーザの選択時にその要求したビデオを見ることができる。
【０００３】
しかしながら、ユーザが選択したビデオサービスを見るのを許される前に、通常、支払いをすることが要求される。これは、従来、希望のビデオサービスを選択した後、「支払い」オプションを受信することによって行われる。このような支払いオプションに応答して、ユーザは、通常、料金請求され（即ち、そのユーザの口座等に課金される）、そのユーザには、その特定のビデオサービスに対する課金がなされる。支払いが完了した後、そのビデオサービスが開始される。
【０００４】
不都合なことに、本願の出願時に存在するＶｏＤシステムを支配する現在のネットワークに伴う技術的な制約のため、希望のビデオサービスのための支払いは、典型的に、前述したような仕方に限定されている。例えば、ユーザとバックエンドシステムとの間の自由な対話ができないため、前述したような支払いオプションの選択は、通常のように受信され、クライアントデバイス（例えば、セットトップボックス等）に記憶され、そのような支払い情報にアクセスするためには、別に問い合わせすることが必要とされる。あるシステムでは、このような別の問い合わせは、依然として、ビデオサービスを実際に配信する広帯域ネットワーク（例えば、衛星等）とは別の通信ネットワーク（例えば、電話回線等）によって行われている。
【０００５】
しかしながら、このような典型的なフレームワークでは、ユーザがビデオサービスのために支払いをなすことができる方法が非常に制限されてしまう。従って、従来技術に伴うこのような及び／又はその他の問題を克服することが必要とされている。
【概要】
【０００６】
ペイパービュー映画用の広告ベース支払い（ｃｏｍｍｅｒｃａｉｌ−ｂａｓｅｄ  ｐａｙｍｅｎｔ：広告に基づいた支払い）のためのシステム、方法及びコンピュータプログラム製品が提供される。最初に、出力装置を使用して、複数の映画が表示される。それから、入力装置を使用して、それら映画のうちの少なくとも１つの選択が受信される。本技法において、広告ベース支払いが適用できるかの決定がなされる。もし、広告ベース支払いが適用できると決定される場合には、その出力装置を使用して、広告が配信される。使用時には、その出力装置を使用して、その選択された少なくとも１つの映画を見ることができる。
【０００７】
１つの実施形態では、それら映画は、リストにて表示することができる。更に、それら映画は、ユーザにより起動されるデータベースの検索に応答して表示することができる。更に又、それら映画は、ウエブサイトにて受け取られたリクエストに応答して表示することができる。
【０００８】
別の実施形態では、ユーザに複数の支払いオプションの中から選択するように促すことにより、広告ベース支払いが適用できることを決定することができる。このような支払いオプションとしては、クレジットカード支払いオプション、後請求式支払いオプション及び広告ベース支払いオプションがある。このため、これらの支払いオプションは、選択のために表示される。
【０００９】
更に別の実施形態では、ユーザの好みを反映しているデータベースに問い合わせることにより、広告ベース支払いが適用できることを決定することができる。例えば、ユーザの好みのうちの少なくとも１つは、広告ベース支払いが進行中ベースにて要求されていることを示すものでありうる。
【００１０】
更に別の実施形態では、広告ベース支払いが適用できると決定される場合に、複数の広告オプションを表示することができる。使用時には、このような広告オプションにより、ユーザは、配信されるべき多数の広告を選択することができる。任意なものとして、配信されるべき広告の数の関数として、それら広告の持続時間を短くすることができる。更に別のオプションとして、それら広告オプションにより、ユーザが複数の広告の中から選択することができるようにすることもできる。
【００１１】
任意なものとして、広告は、ユーザからの対話を要求することができる。更に又、その広告は、ユーザからのフィードバックを要求することができる。かくして、後続の広告は、そのような対話に基づいて配信することもできるし、又は、ユーザプロファイルに基づいて選択することもできる。別のオプションとして、広告は、アンケートを含むことができる。
【００１２】
このようにして、広告は、これらに限定されるのではないが、ユーザプロファイル、人口統計学的情報、その広告を配信するシステムの技術的能力、ユーザの好み、ユーザの過去の決定、映画選択、格付け情報、使用可能広告、広告の優先度、広告に関連した広告条件、休日情報、配信の時間及びユーザとの対話の長さを含む種々なファクタに基づいて選択することができる。
【００１３】
更に別の実施形態では、その広告がユーザによって見られたかを確認することができる。従って、その確認に基づいて条件付きでその映画を見ることが許されるようにすることができる。更に別のオプションとして、その確認を記録するためのレコードを生成することができる。
【００１４】
使用時には、その映画の料金を、その広告の配信に基づいて一部割り引くようにすることができる。別の仕方として、その映画の料金を、その広告の配信に基づいて全額割り引くようにすることもできる。更に又、広告の配信後すぐにその映画を見ることができるようにすることもできるし、又は、その広告の配信後所定の時間が経ってからその映画を見ることができるようにすることもできる。
【００１５】
ペイパービュー映画用広告ベース支払いのための別のシステム、方法及びコンピュータプログラム製品が提供される。使用時には、入力装置を使用して、複数の映画のうちの少なくとも１つの選択が受信される。その後、出力装置を使用して、広告が配信される。その広告の配信後、入力装置を使用して、ユーザ入力が受信される。それから、その広告が見られたかの確認がなされる。かくして、その確認に基づいて、出力装置を使用して、その選択された少なくとも１つの映画を見ることが許されるようにすることができる。
【００１６】
ペイパービュー映画用広告ベース支払いを追跡又は管理するための更に別のシステム、方法及びコンピュータプログラム製品が提供される。こうするために、複数のレコードを含むデータ構造が与えられる。各レコードは、ユーザを示すユーザ識別子及び各々がそのユーザ識別子に関連付けられ且つそのユーザにより選択された映画を示す複数の映画識別子を含む。更に又、各レコードは、更に、ユーザが対応する映画に関連して配信された広告を見たことを確認するため各映画識別子に関連付けられた確認オブジェクトを含む。
【００１７】
ペイパービュー映画用広告ベース支払いを追跡又は管理するための更に別のシステム、方法及びコンピュータプログラム製品が提供される。ここでも、ユーザを示すユーザ識別子を各々が含む複数のレコードを与えることができる。更に又、各レコードは、更に、各ユーザ識別子に関連付けられ且つ映画の少なくとも一部支払いとの交換において配信される広告に応答して与えられるユーザのフィードバックを示すフィードバックオブジェクトを含むことができる。
【００１８】
使用時には、前述のデータ構造は、レコードを維持し、レコードを処理し、更に、その処理について広告主へ報告するのにも使用することができる。
【００１９】
前述したシステム、方法及びコンピュータプログラム製品は、更に、映画以外の他のタイプのメディアにも適用できる。例えば、１つの実施形態では、配信することのできる複数のメディアが、出力装置を使用して表示される。その後、入力装置を使用して、それらメディアのうちの少なくとも１つの選択が受信される。本技法において、広告ベース支払いが適用できるかについて決定される。もし、広告ベース支払いが適用できると決定される場合には、その出力装置を使用して、広告が配信される。使用時には、その出力装置を使用して、その選択された少なくとも１つのメディアが配信される。
【００２０】
一実施形態では、そのメディアは、ビデオコンテンツ、オーディオコンテンツ、デジタルコンテンツ、ライブコンテンツ、プリレコードコンテンツ等を含むことができる。
【詳細な説明】
【００２１】
図１は、一実施形態によるネットワークアーキテクチャー１００を例示している。図示されるように、複数のネットワーク１０２が設けられている。本ネットワークアーキテクチャー１００の関連においては、これらネットワーク１０２の各々は、任意の形式のものであってよく、これらに限定されるのではないが、ローカルエリアネットワーク（ＬＡＮ）、ワイヤレスネットワーク（例えば、衛星ネットワーク等）、インターネットの如きワイドエリアネットワーク（ＷＡＮ）ケーブルネットワーク（例えば、ケーブルビデオ配信ネットワーク等）、テレビジョンネットワーク等であってよい。
【００２２】
これらネットワーク１０２には、これらネットワーク１０２を通して通信することのできるサーバー装置１０４が結合されている。又、これらネットワーク１０２及びサーバー装置１０４には、複数のクライアント装置１０６が結合されている。このようなクライアント装置１０６の各々は、デスクトップコンピュータ、ラップトップコンピュータ、ハンドヘルドコンピュータ、移動電話、ハンドヘルドコンピュータ、パーソナルビデオレコーダー（ＰＶＲ）、デジタルセットトップボックス、デジタル媒体（例えば、コンパクトディスク（ＣＤ）、デジタルビデオディスク（ＤＶＤ）、ＭＰ３等）プレーヤ、テレビジョン及び／又はその他の任意のタイプのロジックを含むことができる。これらネットワーク１０２の間で通信を行うため、少なくとも１つのゲートウエイ又はルーター１０８が任意的にそれらの間に結合される。
【００２３】
更に、本ネットワークアーキテクチャー１００における前述のネットワーク装置の少なくとも一部分は、ペイパービューメディア（例えば、映画、テレビ、スポーツ、ニュース、ラジオ等）用広告ベース支払いを行うように構成することができるものであることに注意されたい。使用の１つの実施例では、見ることのできる複数のメディアが表示される。その後に、それらメディアのうちの少なくとも１つの選択が受信される。本技法においては、広告ベース支払いが適用できるかの決定がなされる。もし、広告ベース支払いが適用できると決定される場合には、広告が配信される。使用時には、その選択された少なくとも１つのメディアが配信される。
【００２４】
次に、ユーザの望むところに従って前述の技法において実施されたり、実施されなかったりする種々の任意のアーキテクチャー及び特徴について、より例示的に説明する。ここで特に注意すべきことは、以下の説明は、単に例示目的であって、いかようにもこれらに限定しようとするものではないことである。以下に述べる特徴は、いずれも、ここに説明される他の特徴を伴わずに、又は、それら他の特徴と共に、任意に組み入れることのできるものである。
【００２５】
図２は、１つの実施形態による、図１のサーバー装置１０４及び／又はクライアント装置１０６と関連付けることのできる代表的なハードウエア環境を示している。この図は、１つの実施形態による可能なハードウエア構成を例示しており、システムバス２１２を介して相互接続されたマイクロプロセッサの如き中央処理装置２１０及び多数の他のユニットを有している。
【００２６】
種々の他の構成部分が図２に示されているが、これら図示した構成部分は省略することができ、又、他の構成部分を組み入れることもできることを理解されたい。例えば、装置（例えば、デスクトップコンピュータ、ラップトップコンピュータ、ハンドヘルドコンピュータ、移動電話、ハンドヘルドコンピュータ、ＰＶＲ、デジタルセットトップボックス、デジタル媒体プレーヤ等）の特質に依存して、種々な構成部分を付加したり及び／又は省略したりすることができる。更に又、冗長目的及び強化目的で、図示した種々な構成部分（例えば、中央処理装置２１０等）を追加して設けることもできる。
【００２７】
図２に示した装置は、ランダムアクセスメモリ（ＲＡＭ）２１４、リードオンリーメモリ（ＲＯＭ）２１６、ディスク記憶装置２２０の如き周辺装置をバス２１２に接続するための入出力アダプタ２１８、キーボード２２４、マウス２２６、スピーカ２２８、マイクロホン２３２及び／又はタッチスクリーン（図示していない）、ワイファイ（図示していない）、リモート（図示していない）の如き他のユーザインターフェース装置等をバス２１２へ接続するためのユーザインターフェースアダプタ２２２、ワークステーションを通信ネットワーク２３５（例えば、データ処理ネットワーク）へ接続するための通信アダプタ２３４及びバス２１２をディスプレイ装置２３８へ接続するためのディスプレイアダプタ２３６を含む。図示していないが、オペレーティングシステム等をインターフェースするためのミドルウエアを更に設けることもできる。
【００２８】
ワークステーションは、任意の必要とされるオペレーティングシステムを常駐させることができる。前述したもの以外のプラットフォーム及びオペレーティングシステムにおいて一実施形態を実施できることも理解されよう。一実施形態は、オブジェクト指向プログラミング法と共に、ＪＡＶＡ、Ｃ、及び／又はＣ＋＋言語又はその他のプログラミング言語を使用して書くことができる。複雑なアプリケーションを開発するため、オブジェクト指向プログラミングを使用することが増えてきている。
【００２９】
勿論、ここに記載する種々の実施形態は、ハードウエア、ソフトウエア、ミドルウエア又はそれらの任意の望まれる組合せを使用して実施することができる。この場合、ここに記載する種々の機能を実施できる任意のタイプのロジックを使用することができる。
【００３０】
図３は、一実施形態による、ペイパービュー映画用広告ベース支払いのための方法３００を示している。オプションとして、この方法３００は、図１及び／又は図２のアーキテクチャー及び環境に関連して実施することができる。しかしながら、勿論、この方法３００は、任意の望まれる環境において実施することができる。
【００３１】
更に、本方法３００はペイパービュー映画に関連して説明するが、以下に述べる原理のいずれも、全く任意のタイプのペイパービューメディアに適用できるものであることに注意されたい。ほんの一例であるが、テレビ、スポーツ、ニュース、オーディオ、ゲーム等も考えられる。この場合に、メディアは、ビデオコンテンツ、オーディオコンテンツ、デジタルコンテンツ、ライブコンテンツ、プリレコードコンテンツ及び／又はその他の任意のタイプのコンテンツである。
【００３２】
最初に、オペレーション３０２において、出力装置を使用して、複数の映画が表示される。ここでの記載においては、このような出力装置としては、図１及び／又は図２に示した構成部分及び／又は装置のうちのいずれでもよく、又は、映画を表示することのできるその他の任意の機構であってもよい。更に又、オプションとして、それら映画は、配信することのできる映画を表すリストにて表示することができる。
【００３３】
又、これら映画は、任意の望まれるイニシエーティングイベントに応答して表示することができる。例えば、テレビジョンの特定のチャンネルの選択に応答して、見ることのできる映画を表示することができる。更に又、ユーザにより開始されるデータベースの検索（例えば、検索エンジンを使用してインターネットにて開始される検索等）に応答して、見ることのできる映画を表示することもできる。更に又、ウエブサイトで受信されたリクエスト（例えば、アイコンのクリック等）に応答して、それら映画を表示することもできる。更に別のオプションとして、それら映画の表示は、受信されたメッセージ（例えば、Ｅメール等）に応答してユーザによって開始することができる。勿論、これら映画の表示は、任意の望む仕方にて開始させることができる。
【００３４】
それから、入力装置を使用して、それら映画のうちの少なくとも１つの選択が受信される。オペレーション３０４を参照するに、ここでの記載に関しては、このような入力装置としては、図１及び／又は図２に示す構成分及び／又は装置のうちのいずれかであってよく、又は、任意の時点でユーザからの入力を受信できる任意のその他の機構であってもよい。種々の入力／出力装置について以下において言及するのであるが、このような装置は、オペレーション３０２及び３０４に関して言及したのと同じ入力／出力装置であってもよく、又は、そうでなくともよいことに注意されたい。
【００３５】
本方法３００においては、広告ベース支払いが適用できるかどうかの決定がなされる。これは、種々の仕方で行うことができる。例えば、ユーザの好みを反映しているデータベースに問い合わせることにより、広告ベース支払いを適用できると決定することができる。判定３０６参照。このようなデータベースには、望む映画の選択前の時点でのユーザの好みを蓄積しておくことができる。このようなデータベースにおいて、ユーザの好みのうちの少なくとも１つは、広告ベース支払いが進行中ベースにて要求されることを指示しているかもしれない。もし、判定３０６において、進行中ベースで広告ベース支払いが要求されていると決定される場合には、図３に示されるように、次の支払いオプションはスキップされる。
【００３６】
しかしながら、もし、判定３０６においてこのような好みがない場合には、複数の支払いオプションからユーザが選択するように促すことにより、広告ベース支払いが適用できることを決定することができる。１つの実施形態では、オペレーション３０８にて示されるように、このような支払いオプションは、出力装置を使用して表示することができる。このような支払いオプションとしては、例えば、クレジットカード支払いオプション、後請求式支払いオプション、広告ベース支払いオプション、及び／又はそれらの任意の組合せがある。
【００３７】
かくして、もし、判定３１０に従って、クレジットカード支払いが望まれていると決定される場合には、クレジットカード支払いがオペレーション３１２にて開始される。同様に、もし、判定３１０に従って、後請求が望まれていると決定される場合には、ユーザには、オペレーション３１４に従って、後で一定料金が請求される。最後に、もし、判定３１０に従って、広告ベース支払いを適用できると決定される場合には、広告ベース支払いオプションの選択時に、方法３００は、図示のように継続される。
【００３８】
こうするため、広告ベース支払いのユーザ選択は、任意の時点（例えば、映画が望まれる時、サブスクリプションが開始される時、好みが入力される時等）で開始することができる。又、広告ベース支払いに対する希望を確認するための２つの技法について説明したのであるが、広告ベース支払いが適用できることを確認できる任意のタイプの決定方法を使用することができることに注意されたい。
【００３９】
広告ベース支払いが適用できると決定されたとき、オペレーション３１６にて示されるように、選択のため複数の広告オプションが表示される。これらの広告オプションにより、ユーザは、配信されるべき多数の広告及び／又は広告タイプ（以下に説明されるような）を選択することができる。任意であるが、それら広告の持続時間は、見るべき広告の数の関数として短くすることができる。このようにすることで、広告視聴の持続時間を、所定の一定時間とすることができる。
【００４０】
更に別のオプションとして、それら広告オプションにより、ユーザは、複数の広告の中から選択することができるようにされる。こうするため、ユーザは、どの広告が自分に対して表示されるべきか選択することができる。又、ユーザは、特定の広告主又はスポンサーを選択し、その後に、そのような選択した広告主又はスポンサーに関連付けられた広告のみが配信されるようにすることができる。
【００４１】
次に、オペレーション３１８において、出力装置を使用して、広告が配信される。１つの実施形態では、その広告は、受動的広告等であってよい。更に他の実施形態では、その広告は、ユーザからの対話を要求するものであってよい。例えば、その広告は、ユーザからのフィードバックを要求するものであってよい。このような対話を行えるようにするため、その広告は、任意であるが、一時休止され、巻き戻され、再生され、等々のものでもよい。このために、それらのフィードバックは、種々の目的（例えば、広告目的、広告評価等）のため収集及び／又は監視される。例えば、その後の広告を、その対話に基づいて配信したり、又はユーザプロファイルに基づいて選択したりすることができる。
【００４２】
勿論、広告選択のため、任意の望ましい基準を使用することができる（このような基準については、以下に、図４を参照して説明する中で述べる）。別のオプションとして、その広告は、アンケート、調査等であってよい。かくして、ここでの記載では、用語「広告」は、選択されたメディア（例えば、映画）以外の、少なくとも部分的に広告目的を有する任意のコンテンツを指している。更に又、用語「配信」は、任意の送信、ブロードキャスト、ユニキャスト、ストリーミング及び／又は広告を配信するためのその他の任意の技法を指している。
【００４３】
判定３２０において、その広告がユーザによって見られたことを確認することができる。これは、その広告に関連した質問に対して、その広告が見られて理解されたことを確証させるような回答を受信することによって行うことができる。任意であるが、このような質問は、無作為セット等から選択することができる。更に、もし、その広告がアンケートの形式をとっているものである場合には、そのような確認は、そのアンケートに関連した回答の受領を確認することにより行うことができる。勿論、その広告の目的が少なくとも部分的に達成されたことを確認するための任意の技法を使用することができる。
【００４４】
更に別のオプションとして、オペレーション３１６−３２０は、必要に応じて繰り返すことができる。例えば、もし、ユーザが各々１分間の３つの広告を見ることを選択する場合には、そのユーザに、複数の広告又はタイプを選択する機会を与え、そして、配信後、そのユーザに、更に又、選択すべき付加的な広告を選択する機会を与えるようにすることもできる。
【００４５】
判定３２０の確認に基づいて、オペレーション３２２において、出力装置を使用して、その選択された映画を見ることを、条件付きで可能とすることができる。任意であるが、その映画は、広告の配信後すぐに視聴できるようにすることができ、又はその広告の配信に続く所定の時間後に視聴できるようにすることもできる（例えば、発行トークン等を使用して）。映画は、広告の配信後に見られるとして説明してきたが、映画を見ている間に広告及び／又はその広告の部分を一時的に差し挟むこともできることに注意されたい。
【００４６】
更に別のオプションとして、その確認を記録するためのレコードを生成することができる。このような記録及び関連するバックエンド処理については、図５を参照しての説明の中でより詳細に説明する。
【００４７】
このためには、広告の配信に基づいて、映画の料金を少なくとも一部割り引くようにすることができる。例えば、広告ベース支払い中の全てのユーザに対して標準的な割引を適用することができ、又は、ユーザに対して適切な種々なファクタ及び／又は広告の配信中／配信後の対話に基づいて、そのような割引率を変えるようにすることもできる（例えば、ユーザのフィードバックの程度の差、ユーザの広告を見た時間／量の差、広告に応答してのユーザの製品の購入等）。別の仕方として、広告の配信に基づいて、映画の料金を全額割り引くようにすることもできる。いすれの場合においても、本技法は、前払い及び／又は後払いフレームワークにおいて実施することができる。ペイパービューシステムについては別の他のタイプの支払い（例えば、請求等）を使用することもできる。
【００４８】
次に、前述の方法３００を実施する際に、ユーザの希望に従って組み入れたり組み入れなかったりすることのできる種々の任意のアーキテクチャー及び特徴についてより例示的に説明する。以下の説明は、例示目的であって、いかようにもこれらに限定しようとしているものではないことに特に注意されたい。以下に説明する特徴のいずれも、任意に、ここに説明している他の特徴を伴わずに組み入れることができるし、又は、ここに説明している他の特徴と共に組み入れることのできるものである。
【００４９】
図４は、別の実施形態による広告を選択するためのフレームワーク４００を例示している。オプションとして、この典型的なフレームワーク４００は、図１から図３に詳細に説明したことに関連して実施することができる。特に、本フレームワーク４００は、図３のオペレーション３１８における広告配信に関連して使用することができる。しかしながら、勿論、この典型的な方法４００は、任意の望む環境において実施することができるものである。
【００５０】
図示されたように、広告は、これらに限定されるわけではないが、ユーザプロファイル、人口統計学的情報、その広告を配信するシステムの技術的能力、ユーザの好み、ユーザの過去の決定、映画選択、格付け情報、使用可能広告、広告の優先度、広告に関連した広告条件、休日情報、配信の時間及びユーザとの対話の長さを含むファクタに基づく種々のルールの関数として選択することができる。
【００５１】
図５は、１つの実施形態による、ペイパービュー映画用広告ベース支払いを行えるようにするバックエンド処理のための方法５００を示している。オプションとして、この方法５００は、図１から図４のアーキテクチャー及び環境に関連して実施することができる。例えば、この方法５００は、サーバー装置（例えば、図１のサーバー装置１０４等参照）にて実施することができる。そのサーバー装置は、図３の方法３００を実施するように適応されているクライアント装置（例えば、図１のクライアント装置１０６等参照）と対話できるものである。しかしながら、勿論、この方法５００は、任意の望む環境において実施することもできるものである。例えば、必要に応じて、クライアントサイド及び／又はサーバーサイドで任意の機能を実施することができるものである。
【００５２】
図示されるように、広告の選択がオペレーション５０２にて受信される。その後、選択された広告を、オペレーション５０４にて配信することができる。又、任意の望むアルゴリズム（例えば、図４のルール等を参照）に従って実際の広告を選択することができる。例えば、必要に応じて、それらルール及びファクタに基づいてデータベースに問い合わせるようにすることができる。このとき、その広告がユーザによって見られたことを確認することができる。オペレーション５０６を参照。
【００５３】
このために、視聴のレコードを生成することができる。オペレーション５０８を参照。表１は、１つの考えられるレコードデータ構造を例示している。このようなレコードは、単に例示目的であって、いかようにもこれに限定しようとしているものではないことに注意されたい。
【表１】
2009506453.tif 000003
【００５４】
表１に示すように、複数のレコードを含むデータ構造が与えられる。各レコードは、ユーザを示すユーザ識別子及び各々がユーザ識別子に関連付けられ且つそのユーザによって選択された映画を示す複数の映画識別子を含む。更に又、各レコードは、ユーザが対応する映画に関連して配信された広告を見たことを確認するための各映画識別子に関連付けられた確認オブジェクトを更に含むことができる。
【００５５】
更に又、各レコードは、各ユーザ識別子に関連付けられ且つ映画の少なくとも一部支払いとの交換にて配信された広告に応答して与えられたユーザのフィードバックを示すフィードバックオブジェクトを更に含むことができる。かくして、このようなレコード又はそのレコードの任意の部分は、ペイパービュー映画用広告ベース支払いを追跡又は管理するのに使用することができる。
【００５６】
使用時には、前述したデータ構造は、それらレコードを維持し、それらレコードを処理し、更に又、その処理に関して（例えば、確認及び／又はフィードバック等に関して）広告主へ報告するような仕方にて使用することができる。このような報告は、何人のユーザが広告を見たかを報告したり、決済（例えば、割引に関連した料金に関する許可等）を管理したりする、等、に使用することができる。更に又、このような報告は、処理された（例えば、集計された、要約された等）フィードバック情報を含むことができ、この処理されたフィードバック情報は、どの広告をどのように表示するかを決定するルールを作成することにより、広告の効果を最適化し収益を最大とするために使用することができる。例えば、オペレーション５１０参照。
【００５７】
種々の実施形態について前述してきたのであるが、これら実施形態は、単に例示として与えられたものであり、これに限定しようとしているものではないと理解されたい。例えば、ネットワーク要素のいずれもが前述した望まれる機能のいずれをも使用できるものである。従って、好ましい実施形態の広さ及び範囲は、前述した典型的な実施形態のいずれによっても制限されるものでなく、特許請求の範囲の記載及びそれらの均等物のみに従って定められるべきものである。
【図面の簡単な説明】
【００５８】
【図１】一実施形態によるネットワークアーキテクチャーを例示している。
【図２】一実施形態による、図１のサーバー装置及び／又はクライアント装置に関連付けることのできる代表的ハードウエア環境を示している。
【図３】一実施形態による、ペイパービュー映画用広告ベース支払いのための方法を示している。
【図４】別の実施形態による、広告を選択するためのフレームワークを例示している。
【図５】一実施形態による、ペイパービュー映画用広告ベース支払いを可能とするバックエンド処理のための方法を示している。
【符号の説明】
【００５９】
１００…ネットワークアーキテクチャー、１０２…ネットワーク、１０４…サーバー装置、１０６…クライアント装置、１０８…ゲートウエイ（ルーター）、２１０…中央処理装置、２１２…システムバス、２１４…ランダムアクセスメモリ（ＲＡＭ）、２１６…リードオンリーメモリ（ＲＯＭ）、２１８…入出力アダプタ、２２０…ディスク記憶装置、２２２…ユーザインターフェースアダプタ、２２４…キーボード、２２６…マウス、２２８…スピーカ、２３２…マイクロホン、２３４…通信アダプタ、２３５…通信ネットワーク、２３６…ディスプレイ装置、４００…フレームワーク
【図１】
2009506453.tif 000004
【図２】
2009506453.tif 000005
【図３】
2009506453.tif 000006
【図４】
2009506453.tif 000007
【図５】
2009506453.tif 000008
【国際調査報告】
2009506453.tif 000009